(57)【要約】【課題】本発明は、稚貝の位置決め構造を簡単にするとともに、熟練した作業者でなくても適切な作業を可能にし、更に、ロープに緊張を与える必要をなくした、養殖貝類の耳吊り装置を提供することを目的とする。                    【解決手段】本発明の養殖貝類の耳吊り装置は、養殖貝類の稚貝を位置決めする位置決め部と、前記稚貝を耳吊りするロープと、前記稚貝の耳部及びロープに貫通孔を形成するドリル部と、前記貫通孔に係止具を刺し通す係止具供給部とを備えた養殖貝類の耳吊り装置において、前記位置決め部を、稚貝の貝殻本体部を受けるガイドレール及び稚貝の耳部を受ける耳受け部材と、稚貝の耳部の周辺が当接する位置決めピンとにより形成し、前記ロープをガイドし保持するロープホルダーを設けることを特徴としている。【選択図】    図  ６
2007124940.tif 000002
【特許請求の範囲】
【請求項１】
養殖貝類の稚貝を位置決めする位置決め部と、前記稚貝を耳吊りするロープと、前記稚貝の耳部及びロープに貫通孔を形成するドリル部と、前記貫通孔に係止具を刺し通す係止具供給部とを備えた養殖貝類の耳吊り装置において、前記位置決め部を、稚貝の貝殻本体部を受けるガイドレール及び稚貝の耳部を受ける耳受け部材と、稚貝の耳部の周辺が当接する位置決めピンとにより形成し、前記ロープをガイドし保持するロープホルダーを設けることを特徴とする養殖貝類の耳吊り装置。
【請求項２】
ガイドレールを、稚貝の貝殻本体部の両側縁の幅より狭い間隔で、かつ、ロープの方向に近づくに従い、より狭く、また、低くなるように配置された２本の丸棒部材により形成することを特徴とする請求項１記載の養殖貝類の耳吊り装置。
【請求項３】
位置決めピンを、稚貝の耳部後辺に当接する前方位置決めピンと稚貝の耳部側面の凹状角部に当接する後方位置決めピンとより形成し、前記前方位置決ピンを傾倒自在に設けることを特徴とする請求項１又は請求項２記載の養殖貝類の耳吊り装置。
【請求項４】
ロープホルダーを、上下に配置した２つの半円状部材により形成し、下側の半円状部材でロープを受け、上側の半円状部材でロープを抑えるようにすることを特徴とする請求項１乃至請求項３のいずれか１項に記載の養殖貝類の耳吊り装置。
【請求項５】
ロープホルダーには、ドリルと係止具を通す逃がし孔を設けることを特徴とする請求項１乃至請求項４のいずれか１項に記載の養殖貝類の耳吊り装置。
【発明の詳細な説明】
【技術分野】
【０００１】
本発明は、養殖産業の一環として、帆立貝等の養殖貝類の稚貝をロープに耳吊り、すなわち、稚貝の耳部分をロープに結束するための養殖貝類の耳吊り装置に関する。稚貝を耳吊りしたロープは海中に垂らされ、この状態で稚貝を生育させ、回収するものである。
【背景技術】
【０００２】
帆立貝等の養殖は、いわゆる耳吊り養殖によって行われている。すなわち、この耳吊り養殖は、図１に示すように、フロート１２０、１２０間に張った親ロープ１２１を介して海中に暖簾状に吊り下げられるロープ１０の両側それぞれに、テグス等の係止部材によって稚貝１００を多数、耳吊り状態に取り付け、この状態で稚貝１００を成長させて回収するものである。
【０００３】
この方法によると、ロープ１０の一本当たりに取り付けられる稚貝１００が約２００にも及ぶ膨大な量であって、これを手作業で一つずつ取り付けようとすると大変な労力が必要とされるため、従来から、この労力を軽減する目的をもって作業を自動化又は半自動化した各種の耳吊り装置が提案されている。
【０００４】
従来、養殖貝類の耳吊り装置としては、例えば、図２及び図３に示すようにロープ１０を上下から挟み込むようにして２つの帆立貝の稚貝１００、１００を位置させ、その耳部１００ａとロープ１０に貫通孔を形成し、結束具でロープ１０の両側に帆立貝１００、１００を同時に結束するものが知られている（特許文献１参照。）。
この装置は、左右の貝座部１０１、１０１、水平押圧部材１０２、１０２、位置決め部材１０３、１０３、ロープ１０、垂直押圧部材１０４、ドリル１０５及び係止具１０６の供給機構等からなっており、図示しない装置によってロープ１０は停止位置（結束位置）で適度のテンションを掛けられ、結束作業が終了すると間欠的に送り出されるようになっている。
【０００５】
結束作業に当たっては、まず、図２に示すように、手作業で左右の貝座部１０１、１０１の上にそれぞれ稚貝１００、１００を一つずつ載せ、稚貝１００、１００をスライドさせて水平押圧部材１０２、１０２を若干押し開く。次いで、稚貝１００、１００を概略位置決めしたところで手を離すと、水平押圧部材１０２、１０２がバネ１０７の弾性により復帰動して稚貝１００、１００を押圧し、位置決め部材１０３、１０３の第１及び第２位置決め部１０８、１０９に押し付け、稚貝１００、１００の耳部及び側辺部が当接することにより、稚貝１００、１００が平面上正確に位置決めされる。
【０００６】
次いで、この状態から作業者がスイッチを操作して駆動系を駆動させると、図３に示した初動位置にある垂直押圧部材１０４がドリル１０５とともに下降して来て、稚貝１００の耳部１００ａを押圧する。稚貝１００は垂直押圧部材１０４と水平押圧部材１０２とによって２方向から立体的に保持されることになる。次いで、ドリル１０５が更に下降して上側の稚貝１００の耳部１００ａ、ロープ１０及び下側の稚貝１００の耳部１００ａに順次貫通孔１１０を形成する。次いで、ドリル１０５及び垂直押圧部材１０４が上方に後退すると、ドリル１０５と入れ替わりに、穿孔ポイントｐの下方に配置された係止具供給部から係止具１１１が供給されて下側の稚貝１００の耳部１００ａ、ロープ１０及び上側の稚貝１００の耳部１００ａに形成された貫通孔１１０に刺し通され、これにより結束工程が完了する。次いで、ロープ送り出し部によりロープ１０を１ピッチ分送り出す。
【特許文献１】特開２００４−３２９００７号公報
【発明の開示】
【発明が解決しようとする課題】
【０００７】
上記した従来公知の養殖貝類の耳吊り装置においては、以下のような問題点を有していた。
（１）外面形状が凸面をした稚貝の位置決めを平板状の貝座部で行うため稚貝が立体的に動き易いことから、この動きを封じるために水平押圧部材１０２、１０２に溝状凹部１０６、１０６を形成し該溝状凹部に稚貝の周辺部を収容して稚貝の縦方向の回動を減じた上で位置決め部材１０３、１０３の位置決め部１０８、１０９に押し付けて位置決めし、更に垂直押圧部材１０４で押圧する必要があるため、稚貝の位置決め構造が複雑となるばかりか、作業者の作業内容も熟練が必要であった。
（２）上側の稚貝１００の耳部１００ａ、ロープ１０及び下側の稚貝１００の耳部１００ａに貫通孔１１０を形成するに当たり、ロープ１０を安定させるためにロープ１０に適度の緊張を与える必要があった。
（３）貫通孔１１０を形成するに当たりロープ１０に緊張を与えていることから、貫通孔１１０の形成後、速やかに係止具１１１を貫通孔に刺し通す必要があった。
（４）上記のように、ドリル及び係止具がロープ内を通過するときに、ロープと稚貝を安定させて動かないようにするため、２枚の稚貝でロープをサンドイッチ状に挟みロープを押しつぶす位まで押圧していた。このことは必要以上に稚貝にストレスを与えることになっていた。  
【０００８】
本発明は、稚貝の位置決め構造を簡単にするとともに、熟練した作業者でなくても適切な作業を可能にし、更に、ロープに緊張を与える必要をなくした、養殖貝類の耳吊り装置を提供することを目的とする。
【課題を解決するための手段】
【０００９】
上記目的を達成するため本発明の養殖貝類の耳吊り装置は、第１に、養殖貝類の稚貝を位置決めする位置決め部と、前記稚貝を耳吊りするロープと、前記稚貝の耳部及びロープに貫通孔を形成するドリル部と、前記貫通孔に係止具を刺し通す係止具供給部とを備えた養殖貝類の耳吊り装置において、前記位置決め部を、稚貝の貝殻本体部を受けるガイドレール及び稚貝の耳部を受ける耳受け部材と、稚貝の耳部の周辺が当接する位置決めピンとにより形成し、前記ロープをガイドし保持するロープホルダーを設けることを特徴としている。
上記第１の特徴において、稚貝の貝殻本体部をガイドレールで受けるようにすることにより、凸球面状をした稚貝の貝殻本体部外面を２個所で、かつ、稚貝の貝殻本体部外面の筋状凹部に沿って支持できることから、安定した支持が可能になり、ひいては稚貝の位置決めを容易に行うことができる。また、ロープをガイドし保持するロープホルダーを設けることにより、ロープにテンションをかけることなくロープを安定して保持できることから、ロープに的確に貫通孔を形成することができ、また、ロープにテンションをかけた場合に比較して貫通孔の維持が長く保てることから係止具の供給作業にゆとりを持たせることができる。
【００１０】
また、本発明の養殖貝類の耳吊り装置は、第２に、ガイドレールを、稚貝の貝殻本体部両側縁の幅より狭い間隔で、かつ、ロープの方向に近づくに従い、より狭く、また、低くなるように配置された２本の丸棒部材により形成することを特徴としている。
上記第２の特徴において、ガイドレールを、ロープの方向に近づくに従い、より狭く、また、低くなるように２本の丸棒部材を配置したものとすることにより、稚貝を２本の丸棒部材に沿って滑らせ、一定の位置に収れんさせることが容易になる。
【００１１】
また、本発明の養殖貝類の耳吊り装置は、第３に、位置決めピンを、稚貝の耳部後辺に当接する前方位置決めピンと稚貝の耳部側面の凹状角部に当接する後方位置決めピンとより形成し、前記前方位置決めピンを傾倒自在に設けることを特徴としている。
上記第３の特徴において、稚貝耳部の後辺及び耳部側面の凹状角部の２点に設けた位置決めピンで稚貝を拘束するため、稚貝の位置決めが正確になる。また、前方位置決めピンを傾倒自在に設けることにより、耳吊り作業終了後の稚貝の移動に位置決めピンが障害となることが防止でき、稚貝の移動作業を容易にすることができる。
【００１２】
また、本発明の養殖貝類の耳吊り装置は、第４に、ロープホルダーを、上下に配置した２つの半円状部材により形成し、下側の半円状部材でロープを受け、上側の半円状部材でロープを抑えるようにすることを特徴としている。
上記第４の特徴において、ロープホルダーを、上下に配置した２つの半円状部材により形成し、下側の半円状部材でロープを受け、上側の半円状部材でロープを抑えるようにすることにより、簡単な構成で安定したロープのガイド及び保持が可能となる。
【００１３】
また、本発明の養殖貝類の耳吊り装置は、第５に、ロープホルダーにドリルと係止具を通す逃がし孔を設けることを特徴としている。
上記第５の特徴において、ロープホルダーにドリルと係止具を通す逃がし孔を設けることにより、ロープの保持位置の直近においてロープに貫通孔を形成することが可能となり、貫通孔の形成を正確かつ容易にすることができるとともに、ドリルガイドを別途設ける必要もなくなる。
【発明の効果】
【００１４】
本発明は、以下のような優れた効果を奏する。
（１）稚貝の貝殻本体部をガイドレールで受けるようにすることにより、凸球面状をした稚貝の貝殻本体部外面をレール状の２個所で安定した支持が可能になり、ひいては稚貝の位置決めを容易に行うことができる。
（２）また、ロープをガイドし保持するロープホルダーを設けることにより、ロープにテンションをかけることなくロープを安定して保持できることから、ロープに的確に貫通孔を形成することができ、また、ロープにテンションをかけた場合に比較して貫通孔の維持が長く保てることから係止具の供給作業にゆとりを持たせることができる。
（３）ガイドレールを、ロープの方向に近づくに従い、より狭く、また、低くなるように２本の丸棒部材を配置したものとすることにより、稚貝を２本の丸棒部材に沿って滑らせ、一定の位置に収れんさせることが容易になる。また、稚貝の貝殻本体部外面の筋状凹部に沿って支持できることから、位置決めがよりやり易くなう。
（４）稚貝耳部の後辺及び耳部側面の凹状角部の２点に設けた位置決めピンで稚貝を拘束するため、稚貝の位置決めが正確になる。また、前方位置決めピンを傾倒自在に設けることにより、耳吊り作業終了後の稚貝の移動に位置決めピンが障害となることが防止でき、稚貝の移動作業を容易にすることができる。
【００１５】
（５）ロープホルダーを、上下に配置した２つの半円状部材により形成し、下側の半円状部材でロープを受け、上側の半円状部材でロープを抑えるようにすることにより、簡単な構成で安定したロープのガイド及び保持が可能となる。
（６）ロープホルダーにドリルと係止具を通す逃がし孔を設けることにより、ロープの保持位置の直近においてロープに貫通孔を形成することが可能となり、貫通孔の形成を正確かつ容易にすることができるとともに、ドリルガイドを別途設ける必要がない。
（７）ロープホルダーでロープを単独で抑えることができるため、従来のように２枚の稚貝を介してロープを押圧固定する必要がないので、押圧による稚貝へのストレスを大幅に軽減することができる。
【発明を実施するための最良の形態】
【００１６】
本発明に係る養殖貝類の耳吊り装置を実施するための最良の形態を実施例に基づいて図面を参照して以下に説明する。  
【実施例】
【００１７】
まず、養殖貝類として代表的な帆立貝に貫通孔を形成する場合の「１枚開け」について説明する。図４に示すように、帆立貝１００の耳部１００ａはその大部分において二枚の貝殻が重なり合った状態になっているが、耳部１００ａの片側には、一枚の貝殻のみからなる部分が必ず存在しており、前者の、二枚の貝殻が重なり合った部分１００ｂに貫通孔を形成することを「二枚開け」、後者の、一枚の貝殻のみからなる部分１００ｃに貫通孔を形成することを「一枚開け」と言い、後者の一枚開けの方が、貝の身の成長に支障を来すことが少ないため、帆立貝の成育が良いことが知られている。
【００１８】
貝殻本体部１００ｆと耳部１００ａとの一方の凹状角部１００ｇを中心に考えると、この凹状角部１００ｇのすぐ横に一枚部分１００ｃが位置しており、これは帆立貝の大小に拘わらず、皆同じである。したがって、この凹状角部１００ｇを基準として帆立貝１００の水平方向の位置決めを行えば、必ず一枚部分１００ｃに貫通孔を形成することができる。このため、耳吊り装置においては、凹状角部１００ｇに第１の位置決めピンを位置させ、貫通孔の位置がロープ１０の真上に位置する状態で第２の位置決めピンを耳部後辺１００ｄに当接させ、この第１の位置決めピンに稚貝の凹状角部１００ｇを嵌合するように当接させることによって水平方向の位置決めをする。そして、第１の位置決めピンに近接した位置で貫通孔を形成することにより、常に一枚部分１００ｃに貫通孔を形成することができ、ひいては稚貝の成育を促進させることが可能となる。
【００１９】
図５は、本発明に係る養殖貝類の耳吊り装置の要部を示す斜視図である。
図５において、養殖貝類の稚貝を位置決めする位置決め部１、１が、上記した稚貝１００を耳吊りするロープ１０の両側に対称的に配置されている。左側の位置決め部１は、ロープ１０の下側に稚貝の耳部１００ａが位置するように、右側の位置決め部１は、ロープ１０の上側に稚貝の耳部１００ａが位置するように、段違いに配置されている。これら左右の位置決め部１、１には、それぞれ稚貝１００が１個ずつ、その耳部１００ａがロープ１０の方向に向くようにして手作業あるいは自動で供給される。
稚貝１００を耳吊りするロープ１０は、図の左側から右側に向かって作業の１サイクルごとに１ピッチづつ間欠的に送られるようになっている。このロープ１０を送り出す送り出し手段には、ロープ１０にテンションをかける機構は設けられていない。また、ロープの送り手段としては、公知の手段が用いられる。
【００２０】
前記稚貝１００の耳部１００ａ及びロープ１０に貫通孔１１０を形成するためのドリル部２０がロープ位置の上方に設けられている。また、稚貝１００の貝殻本体部１００ｆの略中心位置の上方には、貝押さえ３０が左右対称に設けられている。さらに、ロープ１０をガイドし保持するため、ドリル部２０の下方位置近傍にロープホルダーが設けられている。この、ロープホルダーは、後記するように上下に配置した２つの半円状部材により形成され、下側の半円状部材でロープ１０を受け、上側の半円状部材でロープを抑えるようになっており、図５では上側の半円状部材１２が開いた状態で示されている。
【００２１】
図６は、養殖貝類の耳吊り装置を上方から見た平面図であり、また、図７は、図６のＡ−Ａ矢視図、図８は、左側の位置決め部１における稚貝、穿孔ポイントｐ、位置決めピン及び耳受け部材の平面的位置関係を示す平面図である。
【００２２】
まず、養殖貝類の稚貝を位置決めする位置決め部１、１を説明すると、位置決め部１、１は上記したようにロープ１０の両側に対称的に、また、ロープ１０の上下方向に段違いに配置されている。
位置決め部１は、稚貝１００の貝殻本体部１００ｆを受けるガイドレール２及び稚貝の耳部１００ａを受ける耳受け部材６と、稚貝１００の耳部１００ａの周辺が当接する位置決めピン４及び５とにより形成される。
ガイドレール２は、稚貝１００の貝殻本体部１００ｆ両側縁の幅より狭い間隔で、かつ、ロープ１０の方向に近づくに従い、より狭く、また、低くなるようにハ字状に配置された２本の丸棒部材３、３により形成されている。この丸棒部材には、中実の丸棒部材及び中空の丸棒部材のいずれも含まれる。
２本の丸棒部材３、３により稚貝１００を所定位置に滑らして位置決めするため、丸棒部材３としては、耐摩耗性、耐食性のある金属材料から作成されるのが望ましく、例えば、ステンレス製パイプが適している。
このように、稚貝１００の貝殻本体部１００ｆを２本の丸棒部材３、３からなるガイドレール２で受けるようにすることにより、凸球面状をした稚貝１００の貝殻本体部１００ｆ外面をレール状の２個所で、また、稚貝１００の貝殻本体部１００ｆ外面の筋状凹部１００ｈに沿って支持できることから、安定した支持が可能になり、ひいては稚貝１００の位置決めを容易に行うことができる。また２本の丸棒部材３、３を、ロープの方向に近づくに従い、より狭く、低くなるように配置することにより、稚貝１００を２本の丸棒部材３、３に沿って滑らせ、一定の位置に収れんさせることが容易になる。
【００２３】
耳受け部材６は、ドリル部材２０により耳部１００ａに貫通孔１１０を形成する際、耳部１００ａに作用する下向きの荷重を支えるものであり、図８に示すように、貫通孔１１０を形成する穿孔ポイントｐ位置近傍の耳部１００ａのコーナーの下側に位置して設けられる。
位置決めピンは、稚貝１００の耳部後辺１００ｄに当接する前方位置決めピン４と稚貝１００の耳部側面の凹状角部１００ｇに当接する後方位置決めピン５とより形成される。図６及び８においては、前方位置決めピン４は柱状を、後方位置決めピン５は半円柱状をしたものが示されているが、その形状は稚貝を的確に位置決めできるものであればこれに限定されることはない。これらの位置決めピンは、両方とも垂直方向に起立した状態で設置されるものであり、前方位置決めピン４はその基部において稚貝１００の送り方向に傾倒自在に支持されている。この前方位置決めピン４を傾倒自在に支持する手段としては、例えば、稚貝１００の送り方向に倒れるように公知のヒンジ機構を取り付け、このヒンジ機構に復帰バネを設けて前方位置決めピン４に稚貝送り方向に一定以上の荷重が作用した場合に傾倒するとともに荷重がかからない状態では垂直に復帰するような構成ものであればよく、あるいは、稚貝１００の移動タイミングに合わせて自動的に傾倒及び復帰するようにしてもよい。
このように、稚貝１００の耳部後辺１００ｄと耳部側面の凹状角部１００ｇとで位置決めすることにより稚貝１００の位置決めを正確に行うことができる。また、前方位置決めピン４を傾倒自在に設けることにより、耳吊り作業終了後の稚貝１００の移動に障害となることがなく、稚貝の移動作業を容易に行うことができる。
【００２４】
図６及び図７を参照すると、ロープ１０をガイドし保持するためのロープホルダー１１がドリル部２０の下方位置近傍に設けられている。このロープホルダー１１は、上下に配置した２つの半円状部材１２、１３により形成され、下側の半円状部材１３でロープ１０を受け、上側の半円状部材１２でロープを抑えるようになっている。
ロープホルダー１１のロープを保持するための保持力は、ロープ１０に貫通孔１１０を形成する際にロープ１０が動かない程度の大きさで十分であり、それ以上の力は必要ない。上側の半円状部材１２は、ロープ１０を挿入する時の便宜を考慮して開閉自在な構造となっている。また、上側の半円状部材１２には、ロープ１０を保持する保持力を付勢する図示しないバネあるいは錘等からなる付勢手段が設けられている。
このようなロープホルダー１１を設けることにより、ロープ１０にテンションをかけることなくロープ１０を安定して保持できることから、ロープ１０に的確に貫通孔１１０を形成することができ、また、ロープ１０にテンションをかけた場合に比較して貫通孔１１０の維持が長く保てることから後記する係止具４０の供給作業にゆとりを持たせることができる。
【００２５】
図６に示されているように、ロープホルダー１１の２つの半円状部材１２、１３の一端には、ドリル部２０の真下に位置してドリル２１を通すための逃がし孔１４が設けられている。この逃がし孔１４は、半円状部材１２、１３の端部から少し内側に入り込んだ位置に設けられているため、ロープ１０の貫通孔１１０の位置する前後を的確に保持することができる。このため、ロープ１０への貫通孔１１０の形成を正確かつ容易にすることができる。また、逃がし孔１４をドリルガイドとして用いることも可能であり、その場合は別途ドリルガイドを設ける必要がない。
【００２６】
図７に示すように、ドリル部２０には、上側の稚貝１００、ロープ１０及び下側の稚貝１００に貫通孔１１０を形成する穿孔具としてのドリル２１が設けられている。ドリル２１は、支持体２５に設けられた図示しないレールに沿って昇降可能となっている。  また、必要に応じて、穿孔時にドリル２１が振れるのを防止するドリルガイドを設けてもよい。このドリル部２０では、図示したように位置決め部１、１上で左右の稚貝１００、１００が位置決めされると、ドリル２１が図示した位置から穿孔ポイントｐへ下降してきて、上側の稚貝１００の耳部１００ａ、ロープ１０及び下側の稚貝１００の耳部１００ａに貫通孔１１０を形成する。
【００２７】
また、このドリル部２０には、ドリル２１とともに下降して来て穿孔及び係止具４０の刺し通し時に稚貝１００を押さえ込む貝押さえ３０が、上側の稚貝１００及び下側の稚貝１００の貝殻本体部１００ｆのほぼ中央部に位置してそれぞれ設けられている。
この貝押さえ３０は、ドリル部２０とともに支持体２５に支持されており、ドリル２１の作動時に支持体２５の下降に伴い下降して稚貝１００を押さえておき、その後、ドリル２１の更なる下降による稚貝１００への貫通孔１１０の形成後も係止具４０の刺し通し作業が終了するまで稚貝１００の押さえを継続するものである。係止具４０の刺し通し作業の終了後は、支持体２５とともに上昇して次の作業に備える。
【００２８】
図７に示すように、貝押さえ３０は、軸３１、スプリング３２及び当接具３３により構成されており、軸３１はスプリング３２により常に下向きに付勢された状態で支持体２５に軸方向に移動自在に支持されている。当接具３３は、ゴム等の弾性材料から形成され、円錐台の形状をしており、稚貝１００の貝殻本体部１００ｆに対して一定程度の面積を有して当接する形状となっている。
【００２９】
図９は、係止具を説明するためのものであり、（ａ）は正面図、（ｂ）は側面図であって、係止具４０は、略棒状を呈する係止具本体４１の両端にそれぞれ稚貝係止部４２、４３を一体に有しており、図上右側の先端側稚貝係止部４２は、貫通孔１１０に刺し通されるのを容易ににするため銛状に形成され、図上左側の他方の後端側稚貝係止部４３は係止具本体４１より大径の円柱形に形成されている。係止具４０は、軽量で一定程度の強さを有し、海水にに対する耐食性が要求されることから、例えば、合成樹脂から形成される。この係止具４０は、図１０に示すように、シート状のカートリッジ４５として多数纏めて後記する係止具供給部５０に装填されるものであり、カートリッジ４５は多数の係止具４０を平面的にかつ互いに平行に並べ、更に多数の係止具４０を各係止具４０の両端部に一体に繋がったランナ４６をもって一連に接続したものとして形成されている。
【００３０】
図１１は、係止具供給部を説明するための要部斜視図である。
図１１に示すように、係止具供給部５０は、カートリッジ４５を多数ストックするボックス上のストック部５１を備えており、このストック部５１の一角と並ぶようにして、係止具切離し部５２と係止具移送部５３とが設けられ、この係止具移送部５３の供給ロータ５４が略１８０度回転した位置に、係止具突上げ部５５が設けられている。この係止具突上げ部５５は上記した貫通孔１１０の位置の真下に位置しており、ここで係止具４０を突き上げて貫通孔１１０に係止具４０を刺し通すことになる。
なお、供給ロータ５４の回転角は１８０度に限定されず、９０度、６０度に設定される場合もある。
【００３１】
上記構成を備えた養殖貝類の耳吊り装置による耳吊り作業について順次以下に説明する。
（１）ロープ１０を繰り出し、ロープホルダー１１内を挿通させ、ロープ１０の先端を図示しないロープ送り出し部に係合させる。
（２）係止具４０のカートリッジ４５を係止具供給部５０に装填する。
（３）稚貝１００、１００をその耳部１００ａがロープ１０方向を向くようにして左右の位置決め部１、１の２本の丸棒部材３、３にそれぞれ載置し、更に稚貝を丸棒部材３、３に沿って滑らせて、図８に示すように、稚貝１００の耳部１００ａの後辺１００ｄを前方位置決めピン４に当接させるとともに稚貝１００のの凹状角部１００ｇを後方位置決めピン５に当接させて水平方向の位置決めをし、図７に示すように、上側の稚貝１００の耳部１００ａ、ロープ１０及び下側の稚貝１００の耳部１００ａとを上下に並べる。
【００３２】
（４）ドリル部２０のドリル２１及び貝押さえ３０を支持する支持体２５を、図７に示すように、下降させて貝押さえ３０を稚貝１００に当接させ、稚貝１００、１００を上方から押さえる。次に、ドリル２１をロープホルダー１１の逃がし孔１４を通して下降させ、上側の稚貝耳部の１枚部分１００ｃ、ロープ１０及び下側の稚貝耳部の１枚部分１００ｃに貫通孔１１０を形成する。貫通孔１１０の形成後は、ドリル２１を上昇させる。
（５）係止具供給部５０を作動させて、係止具突上げ部５５により係止具４０を突き上げ、貫通孔１１０に下方から係止具４０を刺し通す。上側の稚貝１００の耳部１００ａ、ロープ１０及び下側の稚貝１００の耳部１００ａに係止具４０を刺し通した状態が図１２に示されている。
（６）支持体２５を上昇させて貝押さえ３０を稚貝１００の上方に退避させる。
（７）ロープ送り出し部を作動させ、ロープ１０を図６の上方に向けて１ピッチ分送る。
ロープ１０に係止された上側の稚貝１００及び下側の稚貝１００も１ピッチ分送られる。これにより、作業が１サイクル完了する。
（８）上記（３）から（７）までの作業を所要回数繰り返す。  
【００３３】
上記実施例において示した養殖貝類の耳吊り装置は一例を示したものであって、これに限定されることはない。本発明の精神を逸脱しない範囲で変更可能であり、また、各構成部材の諸形状、材質及び寸法等も設計要求に基づき種々変更が可能である。
【図面の簡単な説明】
【００３４】
【図１】耳吊り養殖を説明する概略図である。
【図２】従来の養殖貝類の耳吊り装置を説明する平面図である。
【図３】従来の養殖貝類の耳吊り装置を説明する正面図である。
【図４】帆立貝に貫通孔を形成する場合について説明する平面図である。
【図５】本発明に係る養殖貝類の耳吊り装置の要部を示す斜視図である。
【図６】本発明の実施の形態に係る養殖貝類の耳吊り装置を上方から見た平面図である。
【図７】図６のＡ−Ａ矢視図である。
【図８】左側の位置決め部における稚貝、穿孔ポイントｐ、位置決めピン及び耳受け部材の平面的位置関係を示す平面図である。
【図９】係止具を説明するための図である。
【図１０】多数の係止具を平面的にかつ互いに平行に並べ両端部に一体に繋がったランナをもって一連に接続形成したしたカートリッジを示す正面図である。
【図１１】係止具供給部を説明するための要部斜視図である。
【図１２】上側の稚貝の耳部及び下側の稚貝の耳部を係止具によりロープに係止した状態を示す説明図である。
【符号の説明】
【００３５】
１      位置決め部
２      ガイドレール
３      丸棒部材
４      前方位置決めピン
５      後方位置決めピン
６      耳受け部材
１０    ロープ
１１    ロープホルダー
１２    上側の半円状部材
１３    下側の半円状部材
１４    逃がし孔
２０    ドリル部
２１    ドリル
２５    支持体
３０    貝押さえ
３１    軸
３２    スプリング
３３    当接具
４０    係止具
４１     係止具本体
４２     先端側稚貝係止部
４３     後端側稚貝係止部
４５     カートリッジ
４６     ランナ
５０     係止具供給部
５１     ストック部
５２     係止具切離し部
５３     係止具移送部
５４     供給ロータ
５５     係止具突上げ部
１００   稚貝
ｐ      穿孔ポイント  
１１０  貫通孔
【図１】
2007124940.tif 000003
【図２】
2007124940.tif 000004
【図３】
2007124940.tif 000005
【図４】
2007124940.tif 000006
【図５】
2007124940.tif 000007
【図６】
2007124940.tif 000008
【図７】
2007124940.tif 000009
【図８】
2007124940.tif 000010
【図９】
2007124940.tif 000011
【図１０】
2007124940.tif 000012
【図１１】
2007124940.tif 000013
【図１２】
2007124940.tif 000014